(57)【要約】  【課題】  本発明は、少ない薬剤量で効果的に毛髪を溶解し、トラップ内を清潔に保つことができる、排水トラップを提供することを課題とする。  【解決手段】  浴室内排水枡から排水される排水中の毛髪を貯留し、越流堰を有する水溜り部と、この水溜り部からの越流水を用いた封水部とを備える排水トラップ。  【選択図】  図１
2008297835.tif 000002
【特許請求の範囲】
【請求項１】
浴室内排水枡から排水される排水中の毛髪を貯留し、越流堰を有する水溜り部と、この水溜り部からの越流水を用いた封水部とを備える排水トラップ。
【請求項２】
請求項１において、水溜り部が、越流堰よりも上流に、毛髪の流出を防止するフィルターを有する排水トラップ。
【請求項３】
請求項１又は２において、水溜り部が、更に毛髪溶解剤添加管を有する排水トラップ。
【請求項４】
請求項１乃至３の何れかにおいて、封水部が、封水壁を有し、この封水壁高さを水溜り部の越流堰高さよりも低くする排水トラップ。
【発明の詳細な説明】
【技術分野】
【０００１】
本発明は、浴室等に用いられる排水トラップに関し、特に毛髪等の固形物の流出を防止し除去するのに好適な排水トラップに関する。
【背景技術】
【０００２】
従来、例えば、浴室の洗い場から流れ出る毛髪等の固形物は、洗い場の目皿の下方に設けられているヘアキャッチャーにて捕集し、ある程度溜まった段階で、使用者が手で取り除いていた。
【０００３】
また、毛髪を手で取り除くのが非衛生であると考える使用者は、排水管の詰りを防止する薬剤として、毛髪等の蛋白質成分を溶解できる薬剤（主成分：水酸化ナトリウム、次亜塩素酸塩）が市販されているので、この薬剤を使用して毛髪を溶解除去している。
より具体的には、図４に示される排水トラップ４０を用いて、薬剤を投入すると、排水トラップ４０では、毛髪を捕捉するヘアキャッチャー４１の少なくとも底面が封水４２中に浸漬しているので、ヘアキャッチャーに薬剤をかけた際にヘアキャッチャーの網目から薬剤が流出することがなく、効果的に毛髪を溶解除去することができるというものである（特許文献１参照）。
【特許文献１】特開２００１−２３４５７０号公報
【発明の開示】
【発明が解決しようとする課題】
【０００４】
しかしながら、図４に示される排水トラップでは、薬剤を投入した直後こそヘアキャッチャー４１の網目から流出することは無いが、ヘアキャッチャー４１内とその外側の封水部分とでは、薬剤の濃度勾配が生じているため、薬剤は時間の経過とともに徐々に排水トラップの封水中に拡散する。その結果、ヘアキャッチャー４１内の薬剤濃度が薄まり、毛髪が溶解するまでに時間がかかってしまうという問題が生じていた。
また、ヘアキャッチャー４１内の薬剤の濃度を高く保つためには、薬剤を多量に添加しなければならず、経済性に欠けるという課題があった。
【０００５】
本発明は上記課題を鑑みたものであり、少ない薬剤量で効果的に毛髪を溶解し、トラップ内を清潔に保つことができる、排水トラップを提供することを課題とする。
【課題を解決するための手段】
【０００６】
上記課題を達成するため、本発明では次の構成をとった。
（１）浴室内排水枡から排水される排水中の毛髪を貯留し、越流堰を有する水溜り部と、この水溜り部からの越流水を用いた封水部とを備える排水トラップ。
（２）項（１）において、水溜り部が、越流堰よりも上流に、毛髪の流出を防止するフィルターを有する排水トラップ。
（３）項（１）又は（２）において、水溜り部が、更に毛髪溶解剤添加管を有する排水トラップ。
（４）項（１）乃至（３）の何れかにおいて、封水部が、封水壁を有し、この封水壁高さを水溜り部の越流堰高さよりも低くする排水トラップ。
【発明の効果】
【０００７】
本発明の排水トラップによれば、毛髪等の固形物の流出を防止する水溜り部が、越流堰により封水部と縁切りされて設けられるので、排水中の毛髪等の固形物を効果的に捕捉でき、ここに毛髪等の蛋白質を溶解できる薬剤を添加することにより、少ない薬剤量で毛髪等の固形物を溶解することができる。
越流堰よりも上流にフィルターを配置した場合は、より効果的に毛髪等を捕捉することができ、一時期に大量の排水が発生しても、毛髪等が下流へと流出することがない。
水溜り部が更に毛髪溶解剤添加管を有する場合は、使用者が直接薬剤に触れることなく、薬剤投入が行えるので、手荒れなどの心配がない。
封水壁の高さを越流堰の高さよりも低くした場合は、封水部の水位を水溜り部の水位より低く設定できるので、封水部から水溜り部への逆流を防ぐことができ、水溜り部内における毛髪等の貯留、薬剤による溶解を良好に行うことができる。
【発明を実施するための最良の形態】
【０００８】
先ず、図１を参照して、浴室に設置した場合の排水トラップの一例について説明する。
図１は、浴室の洗い場に設けられた排水トラップの一実施例の概略断面図である。
排水トラップ１は、浴室洗い場の排水を貯留する水溜り部２と、この後段に設けられる封水部３とを有する。
【０００９】
水溜り部２は、浴室洗い場の排水が排水枡５を介して流入する流入部４と、水溜り部２の容量以上の排水を封水部３に排出する流出部６と、流出部６を介して排水が通過する越流堰２５と、排水が直接封水部３に流入するのを防止する疎流壁１０と、流入口４と流出口６の水路の間に設けられたフィルター７とを有している。
【００１０】
流入口４の位置は、図１では排水トラップ１開口部の外円周上に沿って設けられているが、外円周の一部にのみ設けても良いし、開口部の中心付近に設けることもできる。
また、流出口６の位置は流入口４と封水部３との間に設けていれば良く、図１の位置に限定されるものではない。
【００１１】
疎流壁１０は、排水枡５から流入した排水が直接封水部３に流入するのを防止するものである。疎流壁１０の水面付近より上方には、少なくとも一箇所以上の開口部１１を有することが好ましい。疎流壁１０の水面より上方に開口部１１を設けないと、疎流壁１０の上部を含む部材と水溜り部２とによりベルトラップ（椀トラップ）が形成されてしまう。その結果、後段のトラップ（封水筒１３と封水部３で形成）と併せてダブルトラップになり、排水不良や破封等の原因となってしまうからである。
また、フィルターに毛髪が溜まって排水の流れが悪くなった際に、この開口部１１を通じて排水することも可能になる。
疎流壁１０の上部には、平面視で水溜り部２の最大外径よりも大きい部材１２を設けることが好ましい。これにより、薬剤が水溜り部２に滞留している際に、人の指が誤って入るのを防ぐことができる。
【００１２】
フィルター７は毛髪等の比較的大きい固形物を捕捉し、水溜り部２内に貯留するものである。フィルター７の設置位置は、図１では疎流壁１０の下方に設けているが、これに限るものではなく疎流壁１０に対して流入口４側もしくは流出口６側に設けることもできる。
フィルター７の形状は、上記位置に設置可能であれば特に限定されるものではないが、毛髪等の固形物により目詰りしにくく、且つ流水量を確保するために、できるだけ開口面積が大きくなるものが好ましい。
【００１３】
フィルター７の開孔部の形状は、毛髪等の固形物を捕捉できるものであれば良く、例えば、円形状、略円形状、楕円状、多角形状、略多角形状の孔でもよいし、櫛状、メッシュ状のものを用いることもできる。
また、フィルター７の孔径（目幅）は、１〜１２ｍｍが好ましく、更に好ましくは、４〜８ｍｍ程度である。フィルター７の孔径（目幅）が上記範囲より小さいと、徐々に固形物等によりフィルターが目詰りしやすくなり、薬剤による洗浄頻度を増やさなければならなくなる。逆に、フィルター７の孔径（目幅）が上記範囲より大きいと、徐々に固形物が捕捉されずに通過してしまい、後段の排水トラップ１の出口付近や排水配管２０内に堆積して配管が閉塞するリスクが高まるためである。
【００１４】
水溜り部２の容量は、５０〜５００ｍＬ、更には、１００〜３００ｍＬ程度であることが好ましい。水溜り部２の容量が上記範囲よりも小さいと、短期間のうちに毛髪等が水溜り部２から溢れたり、フィルター７が目詰りしやすくなるので、薬剤による洗浄頻度を徐々に多くしなければならない。また、水溜り部２の容量が上記範囲よりも大きいと、毛髪を溶解するための薬剤使用量が多量に必要となるので、経済的に好ましくない。
【００１５】
また、水溜り部２には加温装置を設けても良い（図示省略）。水溜り部２を加温すると、薬剤による毛髪溶解速度が高まるので、より短時間で毛髪の溶解とトラップの洗浄を行うことができる。この場合、加温する温度は、２０〜６０℃が好ましく、更に好ましくは３０〜４５℃である。また、薬剤を添加する前に、お湯や入浴後の浴槽水等を水溜り部２もしくは排水トラップ１内に流して、水溜り部２の温度を高めるようにしても良い。
【００１６】
封水部３には、上部が開口し、下部が水中に浸漬している封水筒１３が設けられている。また、封水部３の下流側には、封水壁部（土手部）１４と、その更に下流側に排水排出部１５を設けている。
封水部３の水位は、この封水壁部（土手部）１４の最上部の高さにより設定することができる。本発明の排水トラップ１では、封水壁部（土手部）１４の最上部の高さを封水筒１３の最上部の高さ（越流堰２５の高さ）よりも低い位置に設定している。このような位置関係にすることにより、封水部３の水位を水溜り部２の水位よりも低い位置に設定でき、封水部３の水が水溜り部２に逆流することを防ぐことができる。
また、封水壁部（土手部）１４と対向する壁面側には、浴槽排水流入口１６を設けている。浴槽から排水された水は、この浴槽排水流入口１６から排水トラップ１に流入し、封水壁部（土手部）１４を経て排水排出部１５から排水される。なお、この浴槽排水流入口１６は省略することもできる。
【００１７】
排水トラップ１の各部材の材質には、アルカリ及び次亜塩素酸に対して耐久性を有する材料を用いることが好ましい。例えば、排水トラップ１の材質に樹脂材料を用いる場合には、ポリプロピレン、ポリエチレン、塩化ビニル樹脂、フッ素樹脂、ポリ塩化ビニリデン、ポリフッ化ビニリデン、メチルペンテン樹脂等を用いることができる。
また、アルカリ及び次亜塩素酸に対して耐久性を有しない材料を用いる場合には、薬剤が接触する部分に耐アルカリ及び耐塩素性を有する材料をコーティングしたものを用いることもできる。
尚、排水トラップの設置位置は、浴室内であれば特に限定されるものでなく、洗い場防水パンであっても、浴槽載置防水パンであってもよい。浴槽載置防水パンに設置する場合は、浴槽エプロンにより排水枡を隠蔽することも可能となり、使用者から見えず、浴室内を広く使用することができる。
【００１８】
次に、図２を参照して、浴室に設置した場合の排水トラップ１の別の一例について説明する。
図２は、浴室の洗い場に設けられた排水トラップ１の一実施例の概略断面図である。
図２では、水溜り部２に薬剤添加管８を設けており、この薬剤添加管８は配管１７とポンプ１８とを介して薬剤タンク１９に接続されている。
【００１９】
薬剤添加管８の設置場所は、薬剤が水溜り部２に供給されるように配置されていれば、特に限定されることはない。図２では、薬剤添加管８を一箇所のみに設けているが、複数箇所に設けることもできる。
また、薬剤添加管８もしくは配管１７の一部には逆流防止弁（図示省略）を設けることが好ましい。これは、薬剤タンク１９中の薬剤がサイフォン現象により水溜り部２内に自然流下するのを防止するためである。
【００２０】
ポンプ１８は、薬剤タンク１９内の薬剤を排水トラップ１の水溜り部２に供給できるものであれば、特に限定されず、何れの方式のものも用いることができる。また、配管１７の途中に弁を設けて、この弁の開閉により薬剤を供給してもよい。
ポンプ８の流量は、１０〜２０００ｍＬ／分の範囲であることが好ましく、更に好ましくは、１００〜１０００ｍＬ／分である。上記範囲より流量が少ないと薬剤の供給に時間がかかり過ぎてしまう。また、上記範囲よりも流量が多いと薬剤を水溜り部２に供給した際に勢いが強すぎ、水溜り部２を短絡して封水部３に供給されやすくなる。
【００２１】
薬剤タンク１９は、浴室のカウンター周辺部や浴槽のエプロン２４内に設けることが好ましい。図２では、薬剤タンク１９の上部に取り外し可能な開口蓋２１を設け、ここから薬剤を供給するようにしているが、これに限ることなく、例えば薬剤タンク１９をカートリッジ式にして、薬剤タンク１９ごと交換するようにしても良い。
また、薬剤タンク１９には、薬剤の残量が外部から目視で確認できるためのインジケータ等を設けることが好ましい。
【００２２】
薬剤の供給は、浴室内もしくは浴室外に設けられたスイッチ（図示省略）により、ポンプ１８が所定時間稼動（もしくは開閉弁が開）して薬剤タンク１９から水溜り部２に供給される。この供給操作は、使用者が手動でスイッチを押して行ってもよいし、タイマー等により使用者が入浴しない時間帯に自動で行うこともできる。このときの薬剤の供給量は、排水トラップ１内の水溜り部２の液量と同等かそれ以上であることが好ましい。
【００２３】
薬剤の種類としては、毛髪を溶解可能なものであれば特に限定されるものではない。市販の配管洗浄用薬剤やカビ取り用薬剤等を用いることもできる。また、例えば、アルカリ系薬剤を用いる場合は、ｐＨが１２以上、好ましくはｐＨ１３以上、更に好ましくはｐＨ１３．５以上のものを使用することができる。また、これに次亜塩素酸塩等を添加した塩素系薬剤を用いる場合には、有効塩素濃度が０．１％以上、好ましくは０．５％以上、更に好ましくは３％以上のものを用いることができる。
また、塩化物イオンを含む液を電気分解して、次亜塩素酸（もしくは次亜塩素酸イオン）を含む溶液を作製し、これを薬剤として用いることもできる。例えば、浴室内にイオン交換方式の軟水装置を設けている場合、このイオン交換樹脂の再生操作時の廃水（塩化物イオンを含む廃液）を電気分解し、生成した次亜塩素酸（もしくは次亜塩素酸イオン）を含む溶液を毛髪溶解用薬剤として用いることもできる。
【００２４】
次に、図３を参照して、浴室に設置した場合の排水トラップ１の更に別の一例について説明する。図３は、浴室の洗い場に設けられた排水トラップ１の一実施例の概略断面図である。
図３では、浴槽エプロン２４内の一角に洗浄水供給部材９を設けている。洗浄水供給部材９は、水溜り部２に薬剤を供給する前後に排水トラップ１内に残留した液（例えば、酸性洗剤等の薬剤）を洗浄するものである。なお、洗浄水供給部材９の設置場所は、図３では、浴槽エプロン２４内に設けているが、浴室内の別の一画に設けたり、排水枡５内に設けたりすることもできる。
図３では、洗浄水供給部材９は、水道配管２２とこれに接続されている開閉弁９ａとで構成されており、この開閉弁９ａを開くと浴室の洗い場から排水枡５を介して水溜り部２に洗浄水（水道水）が供給される。
【００２５】
洗浄水の供給は、薬剤を添加する前と、薬剤により毛髪が溶解した後の両方のタイミングに行うことが好ましい。例えば、水溜り部２に酸性洗剤が残留していた場合に、塩素系薬剤を流すと、両者が反応して塩素ガスが発生する危険性がある。薬剤添加前に洗浄を行うことにより、酸性洗剤と塩素系薬剤が反応して塩素ガスが発生するのを防ぐことができる。また、毛髪溶解後に洗浄を行うことにより、毛髪溶解後に水溜り部２に残留する塩素系薬剤と、浴室洗い場から排出される酸性洗剤とが反応して塩素ガスが発生するリスクを低減することができる。
【００２６】
洗浄水の供給量は、水溜り部２と封水部３の貯水容量を併せた容量の２〜６倍程度の容量であることが好ましい。洗浄水供給量が２倍よりも少ないと、排水トラップ１内の残留塩素を効果的に洗浄できないし、６倍よりも多いと無駄に水を流すことになり経済的に好ましくないためである。
【００２７】
次に、図３を参照して、本発明の排水トラップ１の作用について述べる。
浴室の洗い場で発生した毛髪等の固形物を含む排水２３は、先ず浴室洗い場の排水枡５から流入口４を介して水溜り部２に流入する。ここで、排水２３中に含まれる毛髪等の固形物は、水溜り部２に設けられたフィルター７により捕捉される。また、排水の一部は水溜り部２に貯留され、残りの排水は流出口６から封水筒１３に移流し、排出される。
その後、一定量の毛髪が溜まったときに、以下の操作で排水トラップ１の洗浄を行う。先ず、洗浄水供給部材９から洗浄水を供給して排水トラップ１内の水溜り部２及び封水部３のプレ洗浄を行う。その後、薬剤添加管８から水溜り部２に薬剤を供給して毛髪を溶解する。毛髪の溶解後に、再び洗浄水供給部材９より排水枡５内に洗浄水を流し、水溜り部２に残留した薬剤を洗浄（排出）する。
この一連の操作（プレ洗浄、薬剤供給、毛髪溶解、洗浄）は、予め設定されたタイマーにより自動に行うことができる。また、プレ洗浄及び／又は薬剤の供給は使用者が行い、最後の洗浄操作のみ自動で行う等、自由に設定することができる。
【００２８】
（試験例１）
本発明の排水トラップの一例を用いて毛髪溶解試験を行った。排水トラップ１の容量は、１．８Ｌ、水溜り部２の容量は、１５０ｍＬ（うち、フィルター７よりも流入口４側の部分（毛髪貯留部）は１００ｍＬ）である。本試験では、先ず、長さ５〜２０ｃｍの毛髪３ｇ（４人家族で７日分を想定）を水溜り部２に投入した。次に、薬剤（成分：水酸化ナトリウム、次亜塩素酸ナトリウム）を水溜り部２の薬剤添加管８から１５０ｍＬ供給し、毛髪が溶解するまでの時間を測定した。試験に用いた薬剤の種類と試験結果を表１に示す。
表１より、毛髪溶解時間は、水温、ｐＨ、有効塩素濃度の影響を受け、例えば、２０℃の条件下では、ｐＨ１３．５以上、有効塩素濃度０．５％以上あれば、１時間以内に毛髪の溶解が可能であることが確認できた。
【００２９】
【表１】
2008297835.tif 000003
【００３０】
（試験例２）
次に本発明の排水トラップの一例を用いた試験例を示す。試験は図３の排水トラップ１を用いて行った。排水トラップ１の容量は、１．８Ｌ、水溜り部２の容量は、１５０ｍＬ（うち、フィルター７よりも流入口４側の部分（毛髪貯留部）は１００ｍＬ）である。本試験では、先ず、長さ５〜２０ｃｍの毛髪３ｇ（４人家族で７日分を想定）を浴室の洗い場に撒いた。その後、シャワー（１０Ｌ／分）にて５分間、水で洗い流しながら排水枡５内に流入させ、排水トラップ１内の水溜り部２における毛髪捕捉性能を確認した。
次に、市販の薬剤（ライオン株式会社製、ルック濃効パイプマン）を１５０ｍＬ添加し、毛髪が溶解するまでの時間を測定した。更にその１時間後、洗浄水（水道水）を１０Ｌ／分で１分間流して、水溜り部２および排水トラップ１内の残留塩素濃度をヨウ素滴定法により測定した。
試験の結果、毛髪捕捉性能については、ほぼ１００％の毛髪をフィルター７で捕捉し、水溜り部２内に貯留できることが確認できた。
毛髪溶解時間については、水温１０〜４０℃の各条件における時間を測定した結果、１０℃で約６０分、２０℃で約３０分、３０℃で約１２分、４０℃で約５分の時間で、全ての毛髪を溶解可能であった。
また、洗浄後の水溜り部２および排水トラップ１内の有効塩素濃度を測定した結果、薬液の有効塩素濃度５３，０００ｐｐｍに対して、水溜り部２では０ｐｐｍおよび排水トラップ１内では１０ｐｐｍであり、排水トラップ１内に残留した薬剤を良好に洗浄できていることを確認した。
【図面の簡単な説明】
【００３１】
【図１】本発明の実施例である排水トラップの一例の概略断面図である。
【図２】本発明の他の実施例である排水トラップの一例の概略断面図である。
【図３】本発明の他の実施例である排水トラップの一例の概略断面図である。
【図４】従来例の排水トラップの一例を示す概略図である。
【符号の説明】
【００３２】
１…排水トラップ、２…水溜り部、３…封水部、４…流入口、５…排水枡、６…流出口、
７…フィルター、８…薬剤添加管、９…洗浄水供給部材、９ａ…開閉弁、１０…疎流壁、
１１…開口部、１３…封水筒、１４…封水壁部（土手部）、１５…排水排出部、
１６…浴槽排水流入口、１７…配管、１８…ポンプ、１９…薬剤タンク、２０…排水配管、２１…開口蓋、２２…水道配管、２３…排水、２４…浴槽エプロン、２５…越流堰、４０…排水トラップ、４１…ヘアキャッチャー、４２…封水。
【図１】
2008297835.tif 000004
【図２】
2008297835.tif 000005
【図３】
2008297835.tif 000006
【図４】
2008297835.tif 000007